(57)【要約】【課題】音声記録再生装置に接続されたマイクのステレオ／モノラルを簡単な構成により区別して、装置の記録条件を切替える。【解決手段】外部マイク入力部２０にモノラルマイクのプラグ２１Ｍが接続されると、右チャンネル端子１６ＲがＧＮＤ端子１６Ｇに接続され、電圧ＶｄｅｔがＧＮＤ電位となる。ＤＣ電圧検出部１５はこのＧＮＤ電位を検出し、検出信号ＤＴＳとしてＨレベル信号を出力する。システム制御部５はこの検出信号に応答して、例えば左チャンネルの音声信号を左右両記録チャンネルを使用して記録するようＤＳＰ１２を制御する。【選択図】    図５
2005026868.tif 000002
【特許請求の範囲】
【請求項１】
左及び右信号チャンネル端子及び接地端子を有するマイク入力端子と、
前記マイク入力端子から入力される左及び右音声信号を記録媒体に記録する記録手段と、
前記マイク入力端子に接続されたマイクに電源を、前記左及び右信号チャンネル端子及び接地端子を介して供給するマイク電源供給手段と、
前記左及び右信号チャンネル端子の一方の端子の電圧が実質的に接地電圧に等しいか検知し、検知結果を提供する検出手段と、
前記検知結果に応じて、前記記録手段の記録動作を制御する制御手段と、
を具備することを特徴とする音声記録装置。
【請求項２】
前記検出手段は、前記左信号チャンネル端子の電圧と、所定閾値電圧とを比較するコンパレータを具備し、該コンパレータの出力電圧が前記検知結果として提供されることを特徴とする請求項１記載の音声記録再生装置。
【請求項３】
前記制御手段は、前記検知結果が、前記左信号チャンネル端子の電圧が前記接地端子と実質的に等しいことを示すとき、前記左信号チャンネル端子から入力される左音声信号のみが記録されるように前記記録手段を制御することを特徴とする請求項１記載の音声記録再生装置。
【請求項４】
前記記録手段は右及び左音声記録チャンネルを有し、前記制御手段は、前記検知結果が、前記左信号チャンネル端子の電圧が前記接地端子と実質的に等しいことを示すとき、前記左信号チャンネル端子から入力される左音声信号を右音声記録チャンネルに記録すると共に右音声記録チャンネルに記録するよう前記記録手段を制御することを特徴とする請求項１記載の音声記録再生装置。
【請求項５】
前記記録手段は、前記マイク入力端子から入力される左及び右のアナログ音声信号をデジタル信号に変換するＡ／Ｄ変換器を有し、前記検出手段は、前記左信号チャンネル端子の電圧を該Ａ／Ｄ変換器を用いて電圧データに変換し、該電圧データを所定閾値と比較し、前記左信号チャンネル端子の電圧が前記接地電圧に等しいか判定することを特徴とする請求項１記載の音声記録再生装置。
【発明の詳細な説明】
【０００１】
【発明の属する技術分野】
この発明は音声記録再生装置における音声信号入力回路に関する。
【０００２】
【従来の技術】
通常のステレオ外部マイクは３極の電極を有するプラグを介して録音装置と接続される。各電極はプラグ先端から左チャンネル（Ｌ）、右チャンネル（Ｒ）、接地（ＧＮＤ）と決められている。
【０００３】
マイクからの音声信号はプラグから左右チャンネルのマイクアンプに入力され増幅されて次段の回路に送られる。プラグインパワー方式の場合、マイクの電源は録音装置のマイク電源回路からそれぞれ抵抗及び音声信号線を介して外部マイクの左右チャンネルに供給される。
【０００４】
ステレオ外部マイク用のジャックにモノラル外部マイクのプラグが接続されると、右チャンネルマイクアンプの入力は無信号となる。音声は左チャンネルのみ記録され、右チャンネルは無音のまま録音される。従って、音声信号を記録する記録媒体が無駄に使用され、再生時は左のみの音声出力となる。
【０００５】
入力された音声信号がステレオ音声であるか、又はモノラル音声であるか判別する装置が下記特許文献１に開示されている。この文献では、ＲＯＭに格納されたソフトウエアにより、入力音声信号のステレオ／モノラルが判断される。
【０００６】
【特許文献１】
特開２０００−３３３５００号（第４頁、図５）
【０００７】
【発明が解決しようとする課題】
従来の音声記録再生装置では、マイク入力端子に接続されたマイクがステレオなのかモノラルなのか判断するすることが出来ない。上記文献では、入力音声信号のステレオ／モノラルの判定はＭＰＵにおける演算処理によって行われるが、具体的な方法が記載されておらず、容易に実施することが出来ない。
【０００８】
本発明は、音声記録再生装置に接続されたマイクがステレオマイクであるかモノラルマイクであるかを簡単な構成で判別し、該判別結果に応じて音声信号の記録条件を切替えることを目的としている。
【０００９】
【課題を解決するための手段】
上記目的は、プラグインパワー対応ステレオ外部マイク端子の右チャンネルに、接地電圧を検出する回路を設けることで達成される。
【００１０】
本発明の一実施形態に係る音声記録装置は、左及び右信号チャンネル端子及び接地端子を有するマイク入力端子と、前記マイク入力端子から入力される左及び右音声信号を記録媒体に記録する記録手段と、前記マイク入力端子に接続されたマイクに電源を、前記左及び右信号チャンネル端子及び接地端子を介して供給するマイク電源供給手段と、前記左及び右信号チャンネル端子の一方の端子の電圧が、前記接地端子と実質的に同電圧であるか検出し、検出結果を提供する検出手段と、前記検出結果に応じて、前記記録手段の記録動作を制御する制御手段とを具備する。
【００１１】
接地電位を検出する回路の参照基準電圧はプラグインパワー供給電圧を利用する。マイクとしては、市場に流通しているプラグインパワー対応のステレオマイク、モノラルマイクが使用可能である。
【００１２】
本発明では接続した外部マイクがモノラルかステレオかを判別可能となるので、その判別結果を利用して接続した外部マイクに適した録音モードでの録音ができる。その結果、モノラルマイクを接続したときに左チャンネルのみの録音となるのを防ぐことができる。
【００１３】
マイク入力端子にモノラルマイクが接続されたときは、左チャンネルの音声信号を両チャンネルに記録することで再生時に左右両チャンネルに音声を出力することが出来る。又、モノラルマイクが接続されたときは右信号記録チャンネルのみを使用して録音することで録音可能時間を延長することも可能である。
【００１４】
【発明の実施の形態】
以下、図面を参照しながら本発明の実施の形態について詳細に説明する。
【００１５】
図１は本発明が適用される音声記録再生装置のブロック構成図である。内部マイク１は入力された音声を音声信号に変換し、マイクアンプ２は該音声信号を増幅する。外部マイク入力部２０は本装置に接続されたステレオ又はモノラルマイクからの音声信号を入力し増幅する。又、外部マイク入力部２０は外部マイクがステレオマイクかモノラルマイクかを検出し、検出結果を示す信号ＤＴＳをシステム制御部５に提供する。更に外部マイク入力部２０は、外部マイク入力部２０にマイクプラグが差し込まれているか否かを示す信号ＥＸＭを提供する。
【００１６】
信号切替え回路（ＳＷ）３は外部マイクからの音声信号Ｌｉｎ及びＲｉｎと、内部マイクからの音声信号Ｍｉｎの一方を、信号ＥＸＭ又はシステム制御部５からの信号ＩＮＳ（後述される）に基づいて選択し、Ａ／Ｄ変換器４に供給する。外部マイクが接続されていない場合、信号切替え回路３はマイクアンプ２からの音声信号を選択している。外部マイク入力部２０にマイクプラグが差し込まれると、外部マイク入力部２０は信号ＥＸＭとして例えばＨ（ｈｉｇｈ）レベルを出力する。信号ＥＸＭのＨレベルに応答して、信号切替え回路３は外部マイク入力部２０からの信号を選択する。
【００１７】
Ａ／Ｄ変換器４は信号切替え回路３により選択されたアナログ音声信号をデジタル信号に変換する。デジタル信号処理部（ＤＳＰ）１２はシステム制御部５の制御の下に、Ａ／Ｄ変換器４から供給されるデジタル信号を圧縮（エンコード）する。システム制御部５は圧縮されたデータをファイルとして記憶媒体（半導体メモリカード）６に記録する。
【００１８】
操作ボタン部１１はユーザ指示を入力するためのユーザインターフェースであって、録音ボタン（ＲＥＣ）、再生ボタン（ＰＬＡＹ）、停止ボタン（ＳＴＯＰ）、送りボタン（ＦＦ）、戻しボタン（ＲＥＷ）を含む。システム制御部（ＣＰＵ）５は、ユーザにより押下されたボタンに応じて本装置内の各回路ブロックを制御する。
【００１９】
表示部７は例えばＬＣＤ（液晶表示装置）からなり、ファイル番号表示部７ａ、再生モード表示部７ｂ、録音モード表示部７ｃ、録音又は再生経過時間表示部７ｄを含む。
【００２０】
システム制御部５は音声再生時、記録媒体６にファイルとして記録された音声データを読出し、ＤＳＰ１２によりデコード（伸長）する。デコードされた音声データはＤ／Ａ変換器８によりアナログ音声信号に変換され、アンプ９により増幅され、スピーカ１０により音声として出力される。
【００２１】
次に、本発明に係る外部マイク入力部２０の構成を説明する。
図２は外部マイク入力部２０の概略構成を示す図である。この図では、外部ステレオマイク用プラグ２０Ｓが外部マイク入力部２０に接続されている。外部マイク入力部２０は左及び右信号チャンネル端子１６Ｒ、１６Ｌ及び接地端子１６Ｇを有するマイク入力端子を具備する。
【００２２】
外部マイク入力部２０はプラグインパワー方式が採用されている。即ち、マイク電源１２からステレオマイクの左右両チャンネルに対して、各々電源供給用抵抗ｒ１、ｒ２を介して電源が供給されている。マイクからの音声信号は左右両チャンネルのマイクアンプ１３、１４に入力され、増幅して次段に送られる。プラグ検出部１８は、外部マイク入力部２０にマイクプラグが差し込まれているか否かを検出し、検出信号ＥＸＭを提供する。
【００２３】
図３はステレオマイクの概略構成を示す図である。ステレオマイク２２は右マイク２２Ｒ及び左マイク２２Ｌから構成され、各マイクは例えばエレクトレットコンデンサマイクであり、内部抵抗ＺＲを有する。各マイクはプラグ２１Ｓ及びケーブル内の信号線２１Ｒ、２１Ｌを介してそれぞれ電源が供給され、入力された音声を音声信号に変換し、信号線２１Ｒ、２１Ｌに出力する。
【００２４】
次に、電圧検出回路２０に設けられているＤＣ電圧検出部１５について説明する。
【００２５】
図４はＤＣ電圧検出部１５の構成例を示す。ＤＣ電圧検出部１５は、右チャンネル電源供給ラインの電圧が実質的に０ＶのＤＣ電圧であることを検出することで、接続された外部マイクがステレオかモノラルか判別する。右チャンネル信号入力端子１６Ｒはコンパレータ１７の反転端子に接続されるとともに抵抗ｒ１の一端に接続されている。抵抗ｒ１の他端はマイク電源電圧Ｖｍｉｃに接続されている。コンパレータ１７の非反転端子は閾値電圧Ｖｒｅｆが供給されている。
【００２６】
ＤＣ電圧検出回路１５での検出電圧Ｖｄｅｔはマイク電源電圧Ｖｍｉｃを電源供給抵抗ｒ１と右チャンネルマイクの内部抵抗ＺＲで抵抗分割した電圧となる。Ｖｄｅｔは次式で示される。
【００２７】
Ｖｄｅｔ＝（ＺＲ／（ｒ１＋ＺＲ））＊Ｖｍｉｃ［Ｖ］  ・・・・（１）
図５は外部マイク入力部２０にモノラルマイクを接続した場合を示す。プラグ２１Ｍのプラグ形状により、右チャンネル電源供給抵抗ｒ１はプラグを介してＧＮＤに接続されるため、ＶｄｅｔはＧＮＤ電位となる。
【００２８】
Ｖｄｅｔ＝０［Ｖ］  ・・・・（２）
式（１）及び（２）から、検出電圧Ｖｄｅｔに判別用の閾値電圧Ｖｒｅｆを設定し、Ｖｄｅｔが閾値電圧Ｖｒｅｆ以下であれば、検知信号ＤＴＳとしてＨレベル信号がコンパレータ１７から出力され、Ｖｄｅｔが閾値電圧Ｖｒｅｆ以上であれば検知信号ＤＴＳとしてＬ（ｌｏｗ）レベル信号が出力される。システム制御部５は検知信号ＤＴＳがＨレベルのとき、モノラルマイクが接続されており、検知信号ＤＴＳがＬレベルのとき、ステレオマイクが接続されている判断する。
【００２９】
システム制御部５は外部マイク入力部２０にモノラルマイクが接続された場合、例えば左チャンネルの音声信号を左右両記録チャンネルを使用して記録するようＤＳＰ１２を制御する。これにより、再生時に左右両チャンネルに音声を出力することが出来る。又、システム制御部５は外部マイク入力部２０にモノラルマイクが接続された場合、左チャンネルの音声信号のみが左記録チャンネルを使用して記録媒体６に記録されるように、ＤＳＰ１２を制御してもよい。これにより、従来のように無音の右チャンネルの信号も同時に記録する場合に比べ、記録媒体６に対する音声信号の記録時間を延長することが出来る。
【００３０】
図６は外部マイク入力部２０の第２の実施形態の構成を示す図である。
【００３１】
本実施形態では、右信号端子１６Ｒの電圧ＶｄｅｔがＡ／Ｄ変換器４により測定され、外部マイクのステレオ／モノラルがシステム制御部５により判断される。一般にマイクアンプ１３、１４は、信号入力ラインにコンデンサが直列に挿入されており（図示されず）、ＤＣ電圧を入力することができない。従って本実施形態では、右信号端子の電圧Ｖｄｅｔがコンデンサを介さずに、Ａ／Ｄ変換器４に入力される。
【００３２】
右信号端子の電圧Ｖｄｅｔは先ず、信号切替え部（ＳＷ）３に供給される。システム制御部５は、例えば電源投入時あるいは外部マイク入力部２０にマイクプラグが差し込まれるたびに、信号ＩＮＳにより信号切替え部（ＳＷ）３をＶｄｅｔ側に切替えて、電圧ＶｄｅｔをＡ／Ｄ変換器４を介して読込み、所定閾値と比較する。システム制御部５は電圧Ｖｄｅｔの値が所定閾値より小さい場合、外部マイク入力部２０にはモノラル用プラグが接続されたと判断し、デジタル信号処理部１２の記録動作を前述したようにモノラル用に変更する。
【００３３】
【発明の効果】
以上説明したように本発明によれば、簡単な構成で、装置に接続されたマイクのステレオ／モノラルを区別し、音声記録再生装置の記録条件を切替えることが可能となる。
【図面の簡単な説明】
【図１】本発明に係る音声記録再生装置のブロック構成図である。
【図２】外部マイク入力部２０の概略構成を示すための図である。
【図３】ステレオマイクの概略構成を示す図である。
【図４】ＤＣ電圧検出部１５の構成例を示す図である。
【図５】外部マイク入力部２０にモノラルマイクを接続した場合を示す。
【図６】外部マイク入力部の第２の実施形態の構成を示す図である。
【符号の説明】
１…マイク、２、９…アンプ、３…信号切換えスイッチ、４…Ａ／Ｄ変換器、５…システム制御部、６…記録媒体、７…表示部、８…Ｄ／Ａ変換器、１０…スピーカ、１１…操作ボタン部、１２…デジタル信号処理部、２０…外部マイク入力部
【図１】
2005026868.tif 000003
【図２】
2005026868.tif 000004
【図３】
2005026868.tif 000005
【図４】
2005026868.tif 000006
【図５】
2005026868.tif 000007
【図６】
2005026868.tif 000008